【手続補正書】
【提出日】平成25年7月22日(2013.7.22)
【手続補正１】
【補正対象書類名】特許請求の範囲
【補正対象項目名】全文
【補正方法】変更
【補正の内容】
【特許請求の範囲】
【請求項１】
コンピューター実行可能命令が具体化された１つ以上のコンピューター記憶媒体であって、前記コンピューター実行可能命令が実行されると、広告を最適化する方法を実行し、前記方法が、
広告主から、前記広告に含める少なくとも１つのアセットと、前記広告を制御する少なくとも1つのルールとを含むダイナミック・クリエーティブを受信するステップと、
ターゲット・デバイスから広告コールを受信するステップと、
前記広告を受信する前記ターゲット・デバイスについてのデバイス情報にアクセスするステップであって、前記デバイス情報が少なくとも前記ターゲット・デバイスの画面サイズを含む、ステップと、
前記広告コールの受信に続いて、前記広告が前記ターゲット・デバイスに対し最適化された１組のクリエーティブ・エレメントを含むように、ユーザーに提示する前記広告を作成するステップであって、前記１組の最適クリエーティブ・エレメントが、前記少なくとも1つのアセットを含み、前記デバイス情報に基づいて前記ターゲット・デバイスに対しカスタム化され、リアルタイムで作成された前記広告は、前記ターゲット・デバイスの前記画面サイズに基づき、かつ前記広告を作成した広告コンポーネントから前記ターゲット・デバイスへ直接伝達される、ステップと、
前記広告を、前記１組の最適クリエーティブ・エレメントと共にユーザーに提示するステップと、
を含む、１つ以上のコンピューター記憶媒体。
【請求項２】
請求項１記載の１つ以上のコンピューター記憶媒体において、前記ダイナミック・クリエーティブが、更に、ターゲット行動情報、ターゲット人口統計情報、または双方を含むターゲット聴衆の指示を含む、１つ以上のコンピューター記憶媒体。
【請求項３】
請求項１記載の1つ以上のコンピューター記憶媒体において、前記少なくとも１つのルールが、前記広告のフォーマット、前記広告のレイアウト、前記広告のサイズ、またはその組み合わせを制限する、1つ以上のコンピューター記憶媒体。
【請求項４】
請求項１記載の1つ以上のコンピューター記憶媒体において、前記少なくとも１つのアセットが、テキスト、少なくとも１つのビデオ、または少なくとも１つの画像を含む、１つ以上のコンピューター記憶媒体。
【請求項５】
請求項１記載の１つ以上のコンピューター記憶媒体であって、更に、１組の最適クリエーティブ・エレメントを複数のターゲット・デバイスに伝達するステップを含み、各組の最適化クリエーティブ・エレメントが、前記複数のターゲット・デバイスにおける各ターゲット・デバイスに対しカスタム化されている、1つ以上のコンピューター記憶媒体。
【請求項６】
請求項１記載の１つ以上のコンピューター記憶媒体において、デバイス情報が、更に、関連したユーザー、バッテリー容量、機能的能力、および動作性能能力を含む、１つ以上のコンピューター記憶媒体。
【請求項７】
コンピューター実行可能命令が具体化された１つ以上のコンピューター記憶媒体であって、前記コンピューター実行可能命令が実行されると、広告を最適化する方法を実行し、前記方法が、
ターゲット・デバイスにおいてアプリケーションを実行するステップと、
前記ターゲット・デバイスから広告コールを伝達するステップと、
前記ターゲット・デバイスにおいて、１組の最適クリエーティブ・エレメントを含むカスタム化広告を受信するステップであって、前記１組の最適クリエーティブ・エレメントが、前記ターゲット・デバイスと関連したデバイス情報およびアプリケーション情報を使って、前記ターゲット・デバイスおよび前記アプリケーションに対しカスタム化され、前記カスタム化広告は、前記広告コールの前記伝達に続いてリアルタイムで作成され、前記ターゲット・デバイスの前記画面サイズに基づき作成された前記カスタム化広告は、前記カスタム化広告を作成した広告コンポーネントから前記ターゲット・デバイスへ直接伝達される、ステップと、
を含む、１つ以上のコンピューター記憶媒体。
【請求項８】
請求項７記載の１つ以上のコンピューター記憶媒体において、前記デバイス情報が、前記ターゲット・デバイスの画面サイズ、前記ターゲット・デバイスと関連したユーザー、前記ターゲット・デバイスと関連したバッテリー容量、前記ターゲット・デバイスの機能的能力、前記ターゲット・デバイスの動作性能能力、またはその組み合わせを含む、１つ以上のコンピューター記憶媒体。
【請求項９】
請求項７記載の１つ以上のコンピューター記憶媒体であって、更に、前記ターゲット・デバイスの画面サイズに対しカスタム化されているプレース・ホルダー広告を受信するステップを含み、前記プレース・ホルダー広告が、前記カスタム化広告を受信したときに、置き換えられる、１つ以上のコンピューター記憶媒体。
【請求項１０】
請求項７記載の１つ以上のコンピューター記憶媒体において、前記１組の最適化創造エレメントが、更に、前記ターゲット・デバイスと関連したユーザーの人口統計情報、前記ターゲット・デバイスと関連したユーザーの行動情報、またはその組み合わせを使ってカスタム化されている、１つ以上のコンピューター記憶媒体。
【請求項１１】
請求項７記載の１つ以上のコンピューター記憶媒体において、前記ターゲット・デバイスが、
移動体電話機と、
パーソナル・データー・アシスタントと、
テレビジョンと、
を含む、１つ以上のコンピューター記憶媒体。
【請求項１２】
請求項７記載の１つ以上のコンピューター記憶媒体において、前記アプリケーション情報が、前記アプリケーションの名称、前記アプリケーションの主題、および前記アプリケーションの広告制限を含む、１つ以上のコンピューター記憶媒体。
【請求項１３】
コンピューター実行可能命令が具体化された１つ以上のコンピューター記憶媒体であって、前記コンピューター実行可能命令が実行されると、広告を動的に作成する方法を実行し、前記方法が、
広告主から、複数のクリエーティブ・エレメントを含むダイナミック・クリエーティブを受信するステップであって、前記複数のクリエーティブ・エレメントが、
（ｉ）前記広告のフォーマット、レイアウト、およびサイズを制限する少なくとも１つのルールと、
（ｉｉ）前記広告に含める少なくとも１つのアセットと、
（ｉｉｉ）人口統計情報、行動情報、または双方に基づく少なくとも１つのターゲット聴衆要件と、
を含む、ステップと、
ターゲット・デバイスから第１広告コールを受信するステップであって、前記第１広告コールが、前記第１広告コールの時点で前記ターゲット・デバイスにおいて実行されている第１アプリケーションと関連した、ステップと、
前記ターゲット・デバイスと関連したデバイス情報にアクセスするステップであって、前記デバイス情報が、前記ターゲット・デバイスと関連したユーザー、前記ターゲット・デバイスの画面サイズ、および前記ターゲット・デバイスの機能的能力を含む、ステップと、
前記第１広告コールの時点で前記ターゲット・デバイスにおいて実行されている前記第１アプリケーションと関連した第１アプリケーション情報にアクセスするステップであって、前記第１アプリケーション情報は、前記画面サイズの第１の所定の割合を広告が占めるのを前記第１アプリケーションが可能にすることを示す、ステップと、
前記ダイナミック・クリエーティブ、前記デバイス情報、および前記画面サイズの前記第１の所定の割合を広告が占めるのを前記第１アプリケーションが可能にすることを示す前記第１アプリケーション情報に基づいて、第１カスタム化広告が前記ターゲット・デバイスおよび前記第１アプリケーションに対し最適化された第１組のクリエーティブ・エレメントを含みかつ前記第１アプリケーションが判定した前記画面サイズの前記第１の所定の割合を占めるように、前記第１カスタム化広告を作成するステップであって、前記第１組の最適クリエーティブ・エレメントが、前記少なくとも１つのアセットを含み、前記ターゲット・デバイスおよび前記第１アプリケーションに対しカスタム化されている、ステップと、
前記第１組の最適クリエーティブ・エレメントを含む前記第１カスタム化広告をユーザーに提示するステップと、
前記ターゲット・デバイスから第２広告コールを受信するステップであって、前記第２広告コールが、この第２広告コールの時点で前記ターゲット・デバイスにおいて実行されている第２アプリケーションと関連し、前記第２アプリケーションが前記第１アプリケーションとは異なる、ステップと、
前記ターゲット・デバイスと関連したデバイス情報にアクセスするステップと、
前記第２広告コールの時点で前記ターゲット・デバイスにおいて実行されている前記第２アプリケーションと関連した第２アプリケーション情報にアクセスするステップであって、前記第２アプリケーション情報は、前記画面サイズの前記第１の所定の割合とは異なった前記画面サイズの第２の所定の割合を広告が占めるのを前記第２アプリケーションが可能にすることを示す、ステップと、
前記ダイナミック・クリエーティブ、前記デバイス情報、および前記画面サイズの前記第２の所定の割合を広告が占めるのを前記第２アプリケーションが可能にすることを示す前記第２アプリケーション情報に基づいて、第２カスタム化広告が前記ターゲット・デバイスおよび前記第２アプリケーションに対し最適化された第２組のクリエーティブ・エレメントを含みかつ前記第２アプリケーションが判定した前記画面サイズの前記第２の所定の割合を占めるように、前記第２カスタム化広告を作成するステップであって、前記第２組の最適クリエーティブ・エレメントが前記少なくとも１つのアセットを含み、前記ターゲット・デバイスおよび前記第２アプリケーションに対しカスタム化されている、ステップと、
前記第２組の最適クリエーティブ・エレメントを含む前記第２カスタム化広告をユーザーに提示するステップと、
を含む、１つ以上のコンピューター記憶媒体。
【請求項１４】
請求項１３記載の１つ以上のコンピューター記憶媒体において、前記少なくとも１つのアセットが、テキスト、少なくとも１つのビデオ、または少なくとも１つの画像を含む、１つ以上のコンピューター記憶媒体。
【請求項１５】
請求項１３記載の１つ以上のコンピューター記憶媒体において、前記第１および第２アプリケーション情報が、前記アプリケーションの名称および前記アプリケーションの広告制限を含む、１つ以上のコンピューター記憶媒体。